(57)【要約】      （修正有）【課題】一般的なＬ判サイズのマット台紙付フォトフレームのマット台紙を改良して、写真若しくはイラスト等の視覚効果と感謝の文言を併用した、感謝の気持ちがより効果的に表現される小型・軽量性に優れたフォトフレーム型感謝状たてを提供する。【解決手段】マット台紙３の上部にＬ判サイズより小さい大きさの窓孔５を作り、それによって生じさせたマット台紙３の下部の余白に感謝の気持ちを表す文言を印字する。マット台紙３の下部の余白表面にはインクジェット用インク吸着剤が塗布されている。マット台紙３の窓孔５に入れる写真４は写真の他にイラスト、絵画若しくは名刺、名刺カード等などであっても良い。【選択図】図２
0003180116.tif 000002
【実用新案登録請求の範囲】
【請求項１】
上部にＬ判サイズより小さい大きさでＶカット工法により中抜き加工された窓孔を有し、下部には表面にインクジェット用インク吸着剤が塗布され、感謝の文言を印字することが出来る余白部分を有するマット台紙及び前記マット台紙の窓孔に自由に出し入れが出来る大きさの写真、イラスト、絵画若しくは名刺、名刺カード等を入れた状態で、それらの前後を透明ガラス若しくは透明プラスチック板を重ねた枠体と背板で挟まれた構成のフォトフレーム型感謝状たて
【請求項２】
前記マット台紙にはインクジェット用インク吸着剤が塗布されたものの代わりに感謝の気持ちを表す文言が予めオフセット印刷機により輪転印刷されている請求項１記載のフォトフレーム型感謝状たて
【考案の詳細な説明】
【技術分野】
【０００１】  本考案は、写真付き感謝状たて若しくは写真入れ付き感謝状たてに関するものである。
【背景技術】
【０００２】  現在、一般家庭にインクジェットプリンタが広く普及し、個人でも簡単に写真を印刷し、それをフォトフレームの中に飾って楽しめるようになった。本考案は一般のＬ判サイズのマット台紙付きフォトフレームを改良することによって写真立てではなく、手軽に感謝の気持ちを表現できるフォトフレーム型感謝状たてとして利用できないかと考案されたものである。【０００３】  従来の写真付き感謝状たて若しくは写真入れ付き感謝状たては感謝状の文言と写真をそれぞれ上下若しくは左右に組み合わせて配置したものが普通である。本考案に関連する一般的なＬ判サイズのマット台紙付きフォトフレーム（非特許文献１参照。）、写真入れ付きフレーム（Ｌ判サイズ）（非特許文献２、非特許文献３参照。）についての先行技術としては、以下のものが挙げられる。
【先行技術文献】
【０００４】
【非特許文献１】ｈｔｔｐｓ：／／ｗｗｗ．ｈａｋｕｂａｐｈｏｔｏ．ｊｐ／ｐｒｏｄｕｃｔｓ／ｄｅｔａｉｌ／０１０１１１００１０−３Ｆ−２Ｅ−ＯＺ、ハクバ写真産業株式会社、商品カテゴリ；フォトフレーム、商品名：ＳＱ木製額ｃａｒｒｅ（カレ）Ｌ１面
【０００５】
【非特許文献２】ｈｔｔｐｓ：／／ｗｗｗ．ｋｉｓｈｉｍａ．ｃｏｍ／ｐｒｏｄｕｃｔ／ｃａｔａｌｏｇ／、株式会社キシマ、「キシマカタログダウンロードＮｏ８４」（ｋｉｓｈｉｍａＣａｔＮｏ８４．ｐｄｆ）、電子カタログページＰ．９１  オリジナルガラスフレーム  ＫＰ−３０４９１Ｎ
【０００６】
【非特許文献３】ｈｔｔｐ：／／ｗｗｗ．ｃｒａｙｐａｓ．ｃｏｍ／２０１２ｃｏｌｌｅｃｔｉｏｎ／ｉｎｄｅｘ．ｈｔｍｌ、株式会社サクラクレパス、「電子カタログ  サクラ総合カタログ２０１２」、電子カタログページＰ．２９６  レーザー彫刻付きフレーム  ＵＦＧＬ−ＥＲ
【考案の概要】
【考案が解決しようとする課題】
【０００７】  しかしながら、感謝状の文言と写真をそれぞれ組み合わせると、どうしても感謝状たてが大きくなってしまい、重量も重くなるなどの欠点があった。
【課題を解決するための手段】
【０００８】  そこで本考案は一般的なＬ判サイズのマット台紙付フォトフレームのマット台紙を改良し、フォトフレームが持つ写真等の視覚効果を最大限に活用した小型で軽量性に優れたフォトフレーム型感謝状たてを実現し、上記課題を解決するものである。【０００９】  本考案はＬ判サイズのマット台紙付フォトフレームの中のマット台紙の窓孔の大きさをＬ判サイズより小さくして且つ、窓孔の位置をマット台紙の中心から上側へづらすことによってマット台紙の下部に文字を印字できる余白を生じさせ、文言と写真やイラスト等を組み合わせて感謝の気持ちを表すことが出来るように構成されていることを特徴としている。【００１０】  マット台紙には後から作成者が自由に文言を印字できるよう表面処理としてインクジェット用インク吸着剤を塗布してあるが、予め感謝の気持ちを表す文言がオフセット印刷機により輪転印刷されてあるものでも良い。
【考案の効果】
【００１１】  本考案に係わるフォトフレーム型感謝状たては外観・大きさが一般的なＬ判サイズのマット台紙付フォトフレームで、小型・軽量性に優れ且つ、写真を入れるマット台紙の窓孔断面はＶカット工法による加工が施されているため写真までの奥行きを引き立たせられ、写真の視覚効果を十分に活かせながら感謝の文言と併用することで、より効果的に感謝の気持ちを表すことができる。【００１２】  前記マット台紙の窓孔には写真の替わりに自由に作成したイラスト、絵画、図画若しくは名刺、名刺カード等を入れても同様の効果が得られる。【００１３】  また、本考案の大きさはＬ判サイズのマット台紙付フォトフレームと同じ大きさで軽量のため机上に置いて使用するだけでなく、ここでは図示しないが、前記枠体の吊がねに吊りひも等で壁に吊り下げたり、前記枠体上部の裏面に設けられている孔に突起物を直接引っ掛ければ壁掛け用のフォトフレーム型感謝状たてとして使用できる。【００１４】  手元にパーソナルコンピュータとインクジェットプリンタがあれば誰でも非常に簡単に感謝の気持ちをより効果的に表現した感謝状を作成できる。
【図面の簡単な説明】
【００１５】
【図１】本考案のフォトフレーム型感謝状たての斜視図である。
【図２】本考案の実施形態を示すフォトフレーム型感謝状たての分解斜視図である。
【考案を実施するための形態】
【００１６】  以下、本考案に係るフォトフレーム型感謝状たてを実施するための形態について、図面を参照しながら説明する。図１は、本実施形態に係るフォトフレーム型感謝状たての斜視図、図２は、フォトフレーム型感謝状たての分解斜視図を示したものである。フォトフレーム型感謝状たては、基本的に、写真４とマット台紙３そして背面に透明ガラス２を重ねた枠体１と背版６とから構成されている。図示されているように、マット台紙３には窓孔５が切り抜かれている。
【００１７】  前記マット台紙３にはＬ判サイズより小さい大きさで窓孔５が切り抜かれており、この窓孔５の中へ写真４を収納する。写真４は写真の替わりにイラスト、絵画若しくは名刺、名刺カード等を使用しても良い。窓孔５の下部分には感謝の文言がインクジェットプリンタ等で印字出来るよう、表面にインクジェット用インク吸着剤が塗布されている。
【００１８】  前記写真４においてはインクジェットプリンタ等で印刷された写真を使用する場合、窓孔５内に収まるように印刷時に縮小してインクジェットプリンタ用写真用紙等へ印刷する必要がある。又、印画紙に焼き付けられた写真を使用する場合は窓孔５内に収まるように写真の一部を切り取るか、もしくは印画紙に焼き付けられた写真を一度、電子画像読取装置（スキャナ）でコンピュータ内へ取り込んだ後に前記述の方法でインクジェットプリンタ用写真用紙等へ印刷する必要がある。
【００１９】  以上に説明したように、本考案によれば写真やイラスト等を組み合わせて感謝の意をより効果的に表すことが出来る感謝状を非常に簡単に作成できる。利用例の一例としてはマット台紙の窓孔の大きさを名刺サイズにしておけば、例えば学校を卒業して社会人となった子どもが就職時に新しい自分の名刺を本考案の感謝状の中へ入れて両親へ手渡せば、両親への感謝の気持ちををより効果的に伝達できる。
【符号の説明】
【００２０】  １  枠体
２  透明ガラス
３  マット台紙
４  写真又はイラスト等
５  窓孔
６  背板
【図１】
0003180116.tif 000003
【図２】
0003180116.tif 000004